(57)【要約】【課題】顧客による非接触ＩＣカードの置き忘れを防止する。【解決手段】カード載置部に載置された非接触ＩＣカードに対し非接触カードリーダ／ライタによって電波を介してデータの読取／書込を行い、商品の売上処理を実行する商品販売データ処理装置としてのＰＯＳ端末において、カード載置部に載置された非接触ＩＣカードの有無を検出する検出部と、人間が知覚可能な態様で報知動作を行う報知部と、を備え、非接触カードリーダ／ライタによって非接触ＩＣカードに対しデータの読取／書込を行う処理を含む一連の処理後に、検出部の検出結果に基づいて非接触ＩＣカードの有無を判断し（Ｓ２１）、非接触ＩＣカードがカード載置部に有ると判断された場合に（Ｓ２１のＹ）、報知部に非接触ＩＣカードの置き忘れを報知させるようにした（Ｓ２３）。これにより、顧客による非接触ＩＣカードの置き忘れを防止することができる。【選択図】　　図８
2004005109.tif 000002
【特許請求の範囲】
【請求項１】
商品の売上処理を実行する商品販売データ処理装置において、
カードが載置されるカード載置部と、
前記カード載置部に載置されたカードに対し電波を介してデータの読取／書込を行う非接触カードリーダ／ライタと、
前記カード載置部に載置されたカードの有無を検出する検出部と、
人間が知覚可能な態様で報知動作を行う報知部と、
前記非接触カードリーダ／ライタによって前記カードに対しデータの読取／書込を行う処理を含む一連の処理後、前記検出部の検出結果に基づいて前記カードの有無を判断するカード有無判断手段と、
前記カード有無判断手段によって前記カードが前記カード載置部に有ると判断された場合、前記報知部に前記カードの置き忘れを報知させる置き忘れ報知手段と、
を備えることを特徴とする商品販売データ処理装置。
【請求項２】
前記非接触カードリーダ／ライタによって前記カードに対しデータの読取／書込を行う処理を含む一連の処理後から一定時間、前記置き忘れ報知手段を行わないように前記カード有無判断手段を繰り返し行う第１カード有無繰返し手段と、
前記第１カード有無繰返し手段により一定時間繰り返し行われる前記カード有無判断手段によって前記カードが前記カード載置部に無いと判断された場合、前記置き忘れ報知手段を行わないようにする置き忘れ報知中止手段と、
を備えることを特徴とする請求項１記載の商品販売データ処理装置。
【請求項３】
前記置き忘れ報知手段による前記カードの置き忘れ報知の開始から前記カードが前記カード載置部に無いと判断されるまで前記カード有無判断手段を繰り返し行う第２カード有無繰返し手段と、
前記第２カード有無繰返し手段により繰り返し行われる前記カード有無判断手段によって前記カードが前記カード載置部に無いと判断された場合、前記報知部に前記カードの置き忘れ報知を止めさせる置き忘れ報知停止手段と、
を備えることを特徴とする請求項１又は２記載の商品販売データ処理装置。
【発明の詳細な説明】
【０００１】
【発明の属する技術分野】
本発明は、商品販売データ処理装置に関する。
【０００２】
【従来の技術】
現在、現金の代わりに決済手段として機能する各種カード、例えば、クレジットカード、デビットカード決済に用いられるキャッシュカード、電子マネーを扱うためのカード等が広く普及している。これらのカードの種類としては、磁気カード、接触ＩＣ（Ｉｎｔｅｇｒａｔｅｄ　Ｃｉｒｃｕｉｔ）カード、非接触ＩＣカード等がある。
【０００３】
特に、非接触ＩＣカードは、高いセキュリティ機能や優れた利便性等を有しているので、近年、電子マネーを取り扱うプリペイドカードとして採用されている。この非接触ＩＣカードによるプリペイドカードでは、残額が少なくなったプリペイドカードに電子マネーを入金（チャージ）することができる。
【０００４】
このような非接触ＩＣカードを用いた電子決済を行う店舗等には、図１０に示すように、非接触ＩＣカードに対しデータの読取／書込を行う専用の非接触カードリーダ／ライタ１００を商品販売データ処理装置１０１に接続して設置する必要がある。
【０００５】
通常、この非接触カードリーダ／ライタ１００は、顧客によって非接触ＩＣカードがかざされたときに、非接触ＩＣカードに対しデータの読取／書込を行う。したがって、商品販売データ処理装置１０１の操作者は、顧客に対し非接触カードリーダ／ライタ１００に非接触ＩＣカードをかざすように促す必要がある。
【０００６】
一方、このような非接触カードリーダ／ライタ１００の中には、非接触ＩＣカードが載置されるカード載置部を備える非接触カードリーダ／ライタがあり、顧客の中には、操作者によって非接触ＩＣカードをかざすように促される前に、予めカード載置部に非接触ＩＣカードを載置しておく顧客もいる。
【０００７】
【発明が解決しようとする課題】
しかしながら、顧客がカード載置部に非接触ＩＣカードを載置した場合には、商品販売データ処理装置１０１による電子決済処理等の後、カード載置部に非接触ＩＣカードを置き忘れることがあり問題となる。
【０００８】
本発明の目的は、顧客による非接触ＩＣカードの置き忘れを防止することができる商品販売データ処理装置を提供することである。
【０００９】
【課題を解決するための手段】
本発明は、商品の売上処理を実行する商品販売データ処理装置（例えばＰＯＳ端末）において、カード（例えば非接触ＩＣカード）が載置されるカード載置部と、前記カード載置部に載置されたカードに対し電波を介してデータの読取／書込を行う非接触カードリーダ／ライタと、前記カード載置部に載置されたカードの有無を検出する検出部（例えば反射型フォトセンサ）と、人間が知覚可能な態様で報知動作を行う報知部（例えばスピーカ）と、前記非接触カードリーダ／ライタによって前記カードに対しデータの読取／書込を行う処理を含む一連の処理後（例えば電子マネー入金処理や電子マネー決済処理等）、前記検出部の検出結果に基づいて前記カードの有無を判断するカード有無判断手段と、前記カード有無判断手段によって前記カードが前記カード載置部に有ると判断された場合、前記報知部に前記カードの置き忘れを報知させる置き忘れ報知手段と、を備える。
【００１０】
したがって、カード載置部に載置されたカードに対し非接触カードリーダ／ライタによってデータの読取／書込を行う処理を含む一連の処理後、そのカードがカード載置部にそのまま置かれていた場合に、報知部によってカードの置き忘れが報知される。
【００１１】
【発明の実施の形態】
本発明の実施の一形態を図１ないし図９に基づいて説明する。本実施の形態は、商品販売データ処理装置をＰＯＳ端末１に適用した一例である。図１は、操作者側から見たＰＯＳ端末１を示す外観斜視図、図２は、顧客側から見たＰＯＳ端末１を示す外観斜視図である。
【００１２】
ＰＯＳ端末１は、筐体状に形成された本体ケース１ａを備え、ドロワ２上に載置されており、このドロワ２の引出し３の開閉を制御する。このＰＯＳ端末１は、本体ケース１ａの上面に操作者の操作を受け付ける領域を備え、その操作領域には、各種のキーが集合するキーボード４、図示しない鍵によって切り換え操作されるコントロールキー５、レシートを排出するレシート発行口６が設けられている。操作者から見て、キーボード４及びコントロールキー５は右側の領域、レシート発行口６は左側の領域にそれぞれ配置されている。
【００１３】
キーボード４には、金額や販売数量等を入力するための置数キー、売上処理において売上処理の締めを宣言するための締めキー、非接触ＩＣカード（以下、ＩＣカードＣとする）に入金された電子マネーによる電子商取引決済を宣言するための電子マネーキー、現金による電子商取引決済を宣言するための現金キー、クレジットカードによる電子商取引決済を宣言するためのクレジットキー、ＩＣカードＣに電子マネーを入金する電子マネー入金処理を宣言するための入金キー、電子マネー入金処理時の入金額の確定を宣言する入金額確定キー等が設けられている。
【００１４】
また、本体ケース１ａの右側上方には、操作者側の表示器として機能するディスプレイ７が配置され、操作者から見てこのディスプレイ７の奥側には、顧客側の表示器として機能するタッチパネル８ａ付きディスプレイ８が設けられている。このディスプレイ８は、立っている顧客が見やすい角度で傾斜している。さらに、ＰＯＳ端末１には、商品コード等のバーコードを光学的に読み取るためのバーコードスキャナ９が接続されている。加えて、顧客から見てディスプレイ８の右側には、ＩＣカードＣが載置されるカード載置部１０を表面に備えるカバー１１が設けられている。
【００１５】
図３は、カバー１１の周辺部を拡大して示す外観斜視図である。図３に示すように、カード載置部１０は、傾斜してＩＣカードＣを支持する支持面１０ａと、この支持面１０ａに支持されたＩＣカードＣの下部に設けられて支持面１０ａに対し突出する突出部１０ｂとから構成されている。支持面１０ａは、ディスプレイ８が傾斜する角度とほぼ同じ角度で傾斜してＩＣカードＣを支持し、突出部１０ｂは、支持面１０ａに支持されたＩＣカードＣの落下を防止する角度で傾斜してＩＣカードＣを支持する。
【００１６】
図４は、カバー１１の内部を示す縦断側面図である。図４に示すように、ＰＯＳ端末１には、非接触でＩＣカードＣに対しデータの読取／書込を行う非接触カードリーダ／ライタ１２が設けられている。この非接触カードリーダ／ライタ１２は、カバー１１内であってカード載置部１０に載置されたＩＣカードＣに対向する位置に位置付けられている。また、ＰＯＳ端末１には、音を出すスピーカ１３及び反射型フォトセンサ１４が設けられている。スピーカ１３は、カバー１１内であって非接触カードリーダ／ライタ１２の下方に位置付けられ、反射型フォトセンサ１４は、カード載置部１０に載置されたＩＣカードＣに対向する位置に位置付けられている。この反射型フォトセンサ１４は、ＩＣカードＣがカード載置部１０に有る場合にＯＮになり、ＩＣカードＣがカード載置部１０に無い場合にＯＦＦになって、カード載置部１０に対するＩＣカードＣの有無を検出する。
【００１７】
なお、非接触カードリーダ／ライタ１２は、電波を送受信するためのアンテナ１５、緑発光するＬＥＤ１６ａ及び赤発光するＬＥＤ１６ｂを備え、アンテナ１５によってＩＣカードＣと電波を送受信して非接触でデータの読取／書込を行い、さらに、ＬＥＤ１６ａ，１６ｂによってデータの読取／書込異常等を報知する構造になっている。したがって、非接触カードリーダ／ライタ１２は、カード載置部１０に支持されたＩＣカードＣに対し電波の送受信が可能な位置に位置付けられている。
【００１８】
図５は、ＩＣカードＣが備える各部の電気的接続を概略的に示すブロック図である。図５に示すように、ＩＣカードＣはＩＣチップ２０を内蔵している。このＩＣチップ２０は、ＣＰＵ２１にバスライン２２を介して、制御プログラム等を予め格納するＲＯＭ２３、ＲＡＭ２４、不揮発性の記憶部であるＥＥＰＲＯＭ２５、通信回路２６が接続されて構成されている。この通信回路２６は、デジタル信号をアナログ信号に変換し（変調）、アナログ信号をデジタル信号に変換（復調）する回路等を備えている。通信回路２６には、電波を送受信するためのアンテナ２７が接続されている。ＥＥＰＲＯＭ２５には、ＩＤコードや残額データ等が格納されている。そして、このようなＩＣカードＣには、非接触カードリーダ／ライタ１２から送信された電波によってアンテナ２７から電力が供給される。なお、本実施の形態のＩＣカードＣは近接型のＩＣカードＣであり、その通信距離は０〜１０ｃｍである。
【００１９】
次に、ＰＯＳ端末１が備える各部の電気的接続を図６に基づいて説明する。ここで、図６は、ＰＯＳ端末１が備える各部の電気的接続を概略的に示すブロック図である。図６に示すように、ＰＯＳ端末１は、マイクロコンピュータ（Ｍｉｃｒｏｃｏｍｐｕｔｅｒ：以下、マイコンという）３０を内蔵し、このマイコン３０が各部を駆動制御する。マイコン３０は、各部を集中的に制御するＣＰＵ（Ｃｅｎｔｒａｌ　Ｐｒｏｃｅｓｓｉｎｇ　Ｕｎｉｔ）３１に、アドレスバス、データバス等のバスライン３２を介して、起動プログラムや認証コード等の固定的データを予め格納するＲＯＭ（Ｒｅａｄ　Ｏｎｌｙ　Ｍｅｍｏｒｙ）３３と売上バッファや印字バッファ等の各種バッファを構成して各種データを書き換え自在に格納するワークエリアとして機能するＲＡＭ（Ｒａｎｄｏｍ　Ａｃｃｅｓｓ　Ｍｅｍｏｒｙ）３４とが接続されて構成されている。なお、ＲＡＭ３４は、バッテリ（図示せず）によってバックアップされている。
【００２０】
次いで、マイコン３０によって駆動制御される各部を説明する。
【００２１】
キーボード４は、キーボード入力回路３５を介してバスライン３２に接続され、キーボード入力回路３５の動作によって、操作されたキーに応じた信号をマイコン３０に入力する。
【００２２】
コントロールキー５は、コントロールキー入力回路３６を介してバスライン３２に接続され、コントロールキー入力回路３６の動作によって、切り換え位置に応じた信号をマイコン３０に入力する。マイコン３０は、コントロールキー５の出力信号に応じて、ＰＯＳ端末１の動作モードを登録モード、設定モード、精算モード、点検モード等の各業務モードに設定する。
【００２３】
ディスプレイ７，８は、表示制御回路３７を介してバスライン３２に接続され、マイコン３０からの表示データが表示制御回路３７に入力されると、表示制御回路３７に駆動されて所定事項を表示する。
【００２４】
タッチパネル８ａは、タッチパネル制御回路３８を介してバスライン３２に接続され、マイコン３０からの表示データがタッチパネル制御回路３８に入力されると、タッチパネル制御回路３８に駆動されて所定事項を表示し、タッチパネル制御回路３８の動作によって、タッチパネル８ａ上に設けられたキーに応じた信号をマイコン３０に入力する。
【００２５】
バーコードスキャナ９は、スキャナ入力回路３９を介してバスライン３２に接続され、スキャナ入力回路３９の動作によって、読み取った商品コードのデータをマイコン３０に送信する。
【００２６】
非接触カードリーダ／ライタ１２は、カードリーダ／ライタ制御回路４０を介してバスライン３２に接続され、カードリーダ／ライタ制御回路４０の動作によって、ＩＣカードＣから受信したデータをマイコン３０に送信し、マイコン３０からのデータをＩＣカードＣに送信する。
【００２７】
スピーカ１３は、スピーカ制御回路４１を介してバスライン３２に接続され、マイコン３０からの信号がスピーカ制御回路４１に入力されると、スピーカ制御回路４１による駆動制御にしたがって音を出す。これらのスピーカ１３及びスピーカ制御回路４１が報知部として機能する。なお、報知部としては、スピーカ１３及びスピーカ制御回路４１が用いられているが、これに限るものではなく、例えばディスプレイ７，８及び表示制御回路３７等が用いられても良い。
【００２８】
ＬＥＤ１６ａ，１６ｂは、点灯制御回路４２を介してバスライン３２に接続され、マイコン３０からの信号が点灯制御回路４２に入力されると、点灯制御回路４２による駆動制御にしたがって点灯／消灯を行う。例えば、緑発光のＬＥＤ１６ａは読取／書込正常時に点灯し、赤発光のＬＥＤ１６ｂは読取／書込異常時に点灯するように点灯制御回路４２によって駆動制御される。
【００２９】
反射型フォトセンサ１４は、フォトセンサ入力回路４３を介してバスライン３２に接続され、フォトセンサ入力回路４３の動作によって、ＯＮ／ＯＦＦ信号をマイコン３０に送信する。これらの反射型フォトセンサ１４及びフォトセンサ入力回路４３が検出部として機能する。なお、検出部としては、反射型フォトセンサ１４が用いられているが、これに限るものではなく、例えばロードセルが用いられても良い。このロードセルは、支持面１０ａ又は突出部１０ｂに設けられ、ＩＣカードＣによる荷重の有無によってＩＣカードＣの有無を検出する。
【００３０】
また、ＰＯＳ端末１には、ＨＤＤ４４が内蔵されており、マイコン３０によって駆動制御される。このＨＤＤ４４は、ＨＤＤ制御回路４５を介してバスライン３２に接続されており、制御プログラム、商品マスタファイル、売上ファイル等を記憶している。
【００３１】
さらに、ＰＯＳ端末１には、プリンタ４６が内蔵されており、マイコン３０によって駆動制御される。このプリンタ４６は、プリンタ制御回路４７を介してバスライン３２に接続され、マイコン３０からの印字データがプリンタ制御回路４７に入力されると、プリンタ制御回路４７に駆動されてレシート用紙に所定事項を印字する。さらに、このプリンタ４６には、カッタ部（図示せず）が内蔵されている。このカッタ部は、マイコン３０によって駆動制御され、レシート用紙を所定の位置において切断し、レシートとしてレシート発行口６から発行する。
【００３２】
ＰＯＳ端末１とは別体で設けられたドロワ２も、マイコン３０によって駆動制御される。このドロワ２は、ドロワ制御回路４８を介してバスライン３２に接続され、マイコン３０からの開放信号に応じてドロワ制御回路４８が駆動されてドロワ２の引出し３の開放を行う。
【００３３】
このような構成において、ＰＯＳ端末１に内蔵されたＨＤＤ４４に格納されたプログラムがマイコン３０に実行させる機能について説明する。なお、本実施の形態においては、従来のＰＯＳ端末によって行われる処理と同様の処理については説明を省略する。
【００３４】
まず、ＩＣカードＣに電子マネーを入金する電子マネー入金処理を図７に基づいて説明する。ここで、図７は、電子マネー入金処理の流れを概略的に示すフローチャートである。図７に示すように、電子マネー入金処理は、入金キーが押下されるまで待機する（ステップＳ１のＮ）。顧客が操作者に電子マネーを入金（チャージ）したい旨を口頭で伝えると、操作者はそれに応じて入金キーを押下する。
【００３５】
入金キーが押下されたと判断すると（Ｓ１のＹ）、電子マネー入金処理は、ＩＣカードＣがカード載置部１０に載置されることに待機する（Ｓ２のＮ）。このとき、反射型フォトセンサ１４のＯＮ／ＯＦＦによってＩＣカードＣがカード載置部１０に有るか否かを判断する。すなわち、反射型フォトセンサ１４がＯＮになった場合には、ＩＣカードＣがカード載置部１０に有ると判断し、逆に、反射型フォトセンサ１４がＯＦＦになった場合には、ＩＣカードＣがカード載置部１０に無いと判断する。ここで、操作者が顧客にＩＣカードＣをカード載置部１０に載置するように促すと、顧客はそれに応じてＩＣカードＣをカード載置部１０に載置する。
【００３６】
ＩＣカードＣがカード載置部１０に有ると判断すると（Ｓ２のＹ）、カード載置部１０に載置されたＩＣカードＣが正規のカードであるか否かの認証を行う（Ｓ３）。詳述すると、ＰＯＳ端末１の非接触カードリーダ／ライタ１２によってＩＣカードＣのＥＥＰＲＯＭ２５からＩＤコードをＰＯＳ端末１のＲＡＭ３４に読み込み、このＩＤコードがＰＯＳ端末１のＲＯＭ３３に格納された認証コードに一致するか否かを判断する。このとき、載置されたＩＣカードＣからＩＤコードが読み取れなかった場合、例えば載置されたカードが磁気カードや接触ＩＣカードであった場合にも、そのＩＣカードＣは正規のカードでないと判断する。
【００３７】
載置されたＩＣカードＣが正規のカードであると判断した場合には（Ｓ３のＹ）、非接触カードリーダ／ライタ１２によってＩＣカードＣのＥＥＰＲＯＭ２５から残額データをＰＯＳ端末１のＲＡＭ３４に読み込み（Ｓ４）、残額や入金額の入力を促す入力メッセージをディスプレイ７に表示させる（Ｓ５）。
【００３８】
次に、電子マネー入金処理は、入金額確定キーが押下されるまで待機する（Ｓ６のＮ）。操作者は、顧客が希望する入金額の金銭を顧客から受け取り、その入金額をキーボート４により入力し、入金額確定キーを押下する。
【００３９】
入金額確定キーが押下されたと判断すると（Ｓ６のＹ）、残額や入力メッセージの表示をディスプレイ７に止めさせ（Ｓ７）、ＰＯＳ端末１のＲＡＭ３４に読み込まれた残額に入金額を加算して更新残額を算出し、非接触カードリーダ／ライタ１２によってＩＣカードＣのＥＥＰＲＯＭ２５に更新残額を残額データとして書き込む（Ｓ８）。そして、操作者及び顧客に対し電子マネーの入金が終了したことを数秒間、ディスプレイ７及び緑発光のＬＥＤ１６ａに報知させる（Ｓ９）。
【００４０】
この後、顧客は、電子マネーが入金されたＩＣカードＣをカード載置部１０から取り上げるが、顧客によるＩＣカードＣの置き忘れを監視するために、置き忘れ報知処理を実行し（Ｓ１０）、電子マネー入金処理が終了する。
【００４１】
また、ステップＳ３において、載置されたＩＣカードＣが正規のカードでないと判断した場合には（Ｓ３のＮ）、操作者及び顧客に対しエラー、すなわち正規のカードでないことを数秒間、ディスプレイ７及び赤発光のＬＥＤ１６ｂに報知させる（Ｓ１１）。その後、置き忘れ報知処理を実行し（Ｓ１０）、電子マネー入金処理が終了する。
【００４２】
次に、ＩＣカードＣの置き忘れ報知処理を図８に基づいて説明する。ここで、図８は、置き忘れ報知処理の流れを概略的に示すフローチャートである。図８に示すように、置き忘れ報知処理は、電子マネー入金処理のステップＳ１１における報知終了後、タイマＴをスタートさせて（ステップＳ２０）、ＩＣカードＣがカード載置部１０に有るか否かを判断する（Ｓ２１：カード有無判断手段）。このとき、ステップＳ２と同様に、反射型フォトセンサ１４のＯＮ／ＯＦＦによってＩＣカードＣがカード載置部１０に有るか否かを判断する。なお、タイマＴのスタートは、電子マネー入金処理のステップＳ８におけるＩＣカードＣに対する更新残額の書き込み後に行われても良い。
【００４３】
ＩＣカードＣがカード載置部１０に有ると判断した場合には（Ｓ２１のＹ）、タイマＴが規定時間、例えば一定時間の１０秒以上か否かを判断する（Ｓ２２：第１カード有無繰返し手段）。すなわち、ＩＣカードＣが１０秒間、カード載置部１０に載置されたままであるか否かを判断する。
【００４４】
タイマＴが規定時間以上でないと判断した場合には（Ｓ２２のＮ）、電子マネー決済処理はステップＳ２１に戻る。タイマＴが規定時間以上であると判断した場合には（Ｓ２２のＹ）、操作者及び顧客に対しＩＣカードＣの置き忘れをスピーカ１３に報知させる（Ｓ２３：置き忘れ報知手段）。
【００４５】
その後、置き忘れ報知処理は、タイマＴをクリアし（Ｓ２４）、ＩＣカードＣがカード載置部１０から取り上げられることに待機する（Ｓ２５のＹ：第２カード有無繰返し手段）。このとき、ステップＳ２と同様に、反射型フォトセンサ１４のＯＮ／ＯＦＦによってＩＣカードＣがカード載置部１０に有るか否かを判断する。ＩＣカードＣがカード載置部１０に無いと判断すると（Ｓ２５のＮ）、ＩＣカードＣの置き忘れ報知をスピーカ１３に止めさせ（Ｓ２６：置き忘れ報知停止手段）、置き忘れ報知処理が終了する。
【００４６】
また、ステップＳ２１において、ＩＣカードＣがカード載置部１０に無いと判断した場合には（Ｓ２１のＮ）、タイマＴをクリアし（Ｓ２７）、置き忘れ報知処理が終了する（置き忘れ報知中止手段）。
【００４７】
次に、電子マネーが入金されたＩＣカードＣによる電子マネー決済処理を図９に基づいて説明する。ここで、図９は、電子マネー決済処理の流れを概略的に示すフローチャートである。
【００４８】
なお、電子マネー決済処理においては、通常、顧客が操作者に促されたときにカード載置部１０の上方にＩＣカードＣをかざすことで、非接触カードリーダ／ライタ１２によってＩＣカードＣに対しデータの読取／書込が行われるが、これに限るものではなく、顧客が操作者に促される前にカード載置部１０にＩＣカードＣを載置しておいても良い。
【００４９】
電子マネー決済処理は、コントロールキー５の操作によって登録モードに設定されていることを条件として実行される。図９に示すように、まず、電子マネー決済処理は、バーコードスキャナ９による読み取りや置数キー等による商品コードの入力に待機する（ステップＳ３０のＮ）。
【００５０】
商品コードが入力されると（Ｓ３０のＹ）、入力された商品コードに基づいてＨＤＤ４４の商品マスタファイルを検索するとともに、数量の入力によって確定する商品の売上処理データをＲＡＭ３４の売上バッファやＨＤＤ４４の売上ファイル等に書き込む売上処理を実行する（Ｓ３１）。そして、電子マネー決済処理はキーボード４中の小計キーが押下されるまでステップＳ３０及びステップＳ３１を繰り返す（Ｓ３２のＮ）。
【００５１】
次いで、小計キーが押下されたと判断すると（Ｓ３２のＹ）、売上合計額を算出してディスプレイ７，８に表示させ、ＰＯＳ端末１のＲＡＭ３４に書き込む（Ｓ３３）。その後、操作者が電子マネーキー、現金キー、クレジットキー等の決済キーを押下することによって決済方法が選択される。まず、電子マネーキーが押下されるか否かを判断する（Ｓ３４）。
【００５２】
電子マネーキーが押下されなかったと判断した場合には（Ｓ３４のＮ）、現金キーやクレジットキー等の他の決済キーが押下されるか否かを判断する（Ｓ３５）。他の決済キーが押下されなかったと判断した場合には（Ｓ３５のＮ）、電子マネー決済処理は、ステップＳ３４に戻り、決済方法が選択されるまでステップＳ３４及びステップＳ３５を繰り返す。他の決済キーが押下されたと判断した場合には（Ｓ３５のＹ）、押下された現金キー又はクレジットキーに応じて現金決済処理やクレジット決済処理等の他の決済処理を実行する（Ｓ３６）。
【００５３】
電子マネーキーが押下されたと判断した場合には（Ｓ３４のＹ）、ＩＣカードＣからＩＤコードが読み取られることに待機する（Ｓ３７のＮ）。このとき、ＩＣカードＣが予めカード載置部１０に載置されていた場合には、ＰＯＳ端末１の非接触カードリーダ／ライタ１２によってＩＣカードＣのＥＥＰＲＯＭ２５からＩＤコードをＰＯＳ端末１のＲＡＭ３４に読み込む（Ｓ３７のＹ）。
【００５４】
一方、ＩＣカードＣが予めカード載置部１０に載置されていなかった場合には、操作者によってＩＣカードＣをカード載置部１０の上方にかざすように促され、これに応じて顧客がＩＣカードＣをカード載置部１０の上方にかざすと、ＰＯＳ端末１の非接触カードリーダ／ライタ１２によってＩＣカードＣのＥＥＰＲＯＭ２５からＩＤコードをＰＯＳ端末１のＲＡＭ３４に読み込む（Ｓ３７のＹ）。
【００５５】
その後、ＩＣカードＣが正規のカードであるか否かの認証を行う（Ｓ３８）。詳述すると、ＰＯＳ端末１のＲＡＭ３４に読み込まれたＩＤコードがＰＯＳ端末１のＲＯＭ３３に格納された認証コードに一致するか否かを判断する。
【００５６】
ＩＣカードＣが正規のカードでないと判断した場合には（Ｓ３８のＮ）、操作者及び顧客に対しエラー、すなわち正規のカードでないことを数秒間、ディスプレイ７，８及び赤発光のＬＥＤ１６ｂに報知させ（Ｓ３９）、電子マネー決済処理は、ステップＳ３４に戻り、再び決済方法が選択されるまで待機する。
【００５７】
ＩＣカードＣが正規のカードであると判断した場合には（Ｓ３８のＹ）、非接触カードリーダ／ライタ１２によってＩＣカードＣのＥＥＰＲＯＭ２５から残額データをＰＯＳ端末１のＲＡＭ３４に読み込む（Ｓ４０）。
【００５８】
次いで、残額が売上合計額以上であるか否かを判断する（Ｓ４１）。残額が売上合計額以上であると判断した場合には（Ｓ４１のＹ）、ＰＯＳ端末１のＲＡＭ３４に読み込まれた残額から売上合計額を減算して更新残額を算出し、非接触カードリーダ／ライタ１２によってＩＣカードＣのＥＥＰＲＯＭ２５に更新残額を残額データとして書き込む（Ｓ４２）。
【００５９】
そして、ＨＤＤ４４の売上ファイル等に対する売上処理データの書き込みやレシートをレシート発行口６から発行するレシート発行等の締め処理を実行し（Ｓ４３）、最後に、置き忘れ報知処理を実行し（Ｓ４４）、電子マネー決済処理が終了する。なお、電子マネー決済処理は、ステップＳ４２とステップＳ４３との間で締めキーが押下されるまで待機し、締めキーが押下されたと判断すると、ステップＳ４３の締め処理を実行するようにしても良い。
【００６０】
ステップＳ４４における置き忘れ報知処理は、締め処理後、図８に示すように、タイマＴをスタートさせる（Ｓ２０）。その後の処理は、電子マネー入金処理での置き忘れ報知処理と同様の処理を行う。なお、タイマＴのスタートは、電子マネー決済処理のステップＳ４２におけるＩＣカードＣに対する更新残額の書き込み後に行われても良く、締めキーの押下により締め処理が行われる場合には、締めキーの押下により行われても良い。
【００６１】
また、ステップＳ４１において、残額が売上合計額以上でないと判断した場合には（Ｓ４１のＮ）、ＰＯＳ端末１のＲＡＭ３４に読み込まれた残額を売上合計額から減算して不足額を算出し、この不足額をＰＯＳ端末１のＲＡＭ３４に書き込み、非接触カードリーダ／ライタ１２によってＩＣカードＣのＥＥＰＲＯＭ２５に残額０円を残額データとして書き込む（Ｓ４５）。最後に、ディスプレイ７，８に不足額を表示させる（Ｓ４６）。その後、他の決済処理、例えば現金決済処理を実行する（Ｓ３６）。
【００６２】
このように本実施の形態においては、カード載置部１０に載置されたＩＣカードＣに対し非接触カードリーダ／ライタ１２によってデータの読取／書込を行う処理を含む一連の処理後、例えば電子マネー入金処理後や電子マネー決済処理後に、ＩＣカードＣがカード載置部１０に規定時間そのまま有るか否かが判断され、ＩＣカードＣがカード載置部１０に有ると判断された場合に、スピーカ１３が出す音によってＩＣカードＣの置き忘れが報知されるので、顧客によるＩＣカードＣの置き忘れを防止することができる。
【００６３】
また、本実施の形態においては、非接触カードリーダ／ライタ１２によってＩＣカードＣに対しデータの読取／書込を行う処理を含む一連の処理後、例えば電子マネー入金処理後や電子マネー決済処理後から一定時間、例えば１０秒間、置き忘れ報知手段を行わないようにカード有無判断手段を繰り返し行う第１カード有無繰返し手段と、この第１カード有無繰返し手段により一定時間繰り返し行われるカード有無判断手段によってＩＣカードＣがカード載置部１０に無いと判断された場合、置き忘れ報知手段を行わないようにする置き忘れ報知中止手段とを備えるため、顧客が一定時間内にＩＣカードＣをカード載置部１０から取り上げれば、スピーカ１３が出す音によって置き忘れが報知されず、必要以上に顧客に対しＩＣカードＣの置き忘れを報知することを防止することができる。
【００６４】
また、本実施の形態においては、置き忘れ報知手段によるＩＣカードＣの置き忘れ報知の開始からＩＣカードＣがカード載置部１０に無いと判断されるまでカード有無判断手段を繰り返し行う第２カード有無繰返し手段と、この第２カード有無繰返し手段により繰り返し行われるカード有無判断手段によってＩＣカードＣがカード載置部１０に無いと判断された場合、スピーカ１３にＩＣカードＣの置き忘れ報知を止めさせる置き忘れ報知停止手段とを備えるため、置き忘れ報知から顧客がＩＣカードＣをカード載置部１０から取り上げるまで、スピーカ１３が出す音によって置き忘れが報知されるので、顧客に対しＩＣカードＣの置き忘れを確実に報知することができる。
【００６５】
【発明の効果】
本発明によれば、報知部によって非接触ＩＣカードの置き忘れが報知されるので、顧客による非接触ＩＣカードの置き忘れを防止することができる。
【図面の簡単な説明】
【図１】本発明の実施の一形態の操作者側から見たＰＯＳ端末を示す外観斜視図である。
【図２】顧客側から見たＰＯＳ端末を示す外観斜視図である。
【図３】カバーの周辺部を拡大して示す外観斜視図である。
【図４】カバーの内部を示す縦断側面図である。
【図５】ＩＣカードが備える各部の電気的接続を概略的に示すブロック図である。
【図６】ＰＯＳ端末が備える各部の電気的接続を概略的に示すブロック図である。
【図７】電子マネー入金処理の流れを概略的に示すフローチャートである。
【図８】置き忘れ報知処理の流れを概略的に示すフローチャートである。
【図９】電子マネー決済処理の流れを概略的に示すフローチャートである。
【図１０】従来の非接触カードリーダ／ライタ及び商品販売データ処理装置を示す外観斜視図である。
【符号の説明】
１…商品販売データ処理装置（ＰＯＳ端末）、１０…カード載置部、１２…非接触カードリーダ／ライタ、１３，４１…報知部、１４，４３…検出部
【図１】
2004005109.tif 000003
【図２】
2004005109.tif 000004
【図３】
2004005109.tif 000005
【図４】
2004005109.tif 000006
【図５】
2004005109.tif 000007
【図６】
2004005109.tif 000008
【図７】
2004005109.tif 000009
【図８】
2004005109.tif 000010
【図９】
2004005109.tif 000011
【図１０】
2004005109.tif 000012